(57)【要約】      （修正有）【課題】テーブルの移動空間内に比較的大きな物品が侵入することを抑制する。【解決手段】プリンタ１０は、主走査方向Ｙに延びる支持壁１６と、支持壁１６より下方に位置し、副走査方向Ｘに移動可能に構成されたテーブル４８と、支持壁１６に設けられ、主走査方向Ｙに延びるガイドレール１８と、ガイドレール１８に摺動自在に設けられ、主走査方向Ｙに移動可能なヘッドキャリッジと、ヘッドキャリッジに搭載されたインクヘッドと、支持壁１６の下方かつ主走査方向Ｙにおいてテーブル４８の側方に位置し、副走査方向Ｘかつ上下方向Ｚに延びる区画壁９０と、を備えている。テーブル４８が副走査方向Ｘの最も下流側に位置するとき、テーブル４８の副走査方向Ｘの上流側の端部４８Ｂは、支持壁１６より副走査方向Ｘの下流側かつ区画壁９０の副走査方向Ｘの下流側の端部９０Ｆよりも副走査方向Ｘの上流側に位置する。【選択図】図４
2020199719.tif 000002
【特許請求の範囲】
【請求項１】
ベース部材と、
前記ベース部材より上方に配置され、主走査方向に延びる支持壁と、
前記支持壁より下方に位置し、前記主走査方向と直交する方向である副走査方向に移動可能に構成され、記録媒体が載置される載置台と、
前記副走査方向の上流側から下流側に向かう方向である行き方向および前記副走査方向の下流側から上流側に向かう方向である帰り方向に前記載置台を移動させる移動装置と、
前記支持壁に設けられ、前記主走査方向に延びるガイドレールと、
前記ガイドレールに摺動自在に設けられ、前記主走査方向に移動可能なキャリッジと、
前記載置台に載置された記録媒体にインクを吐出可能に構成され、前記キャリッジに搭載されたインクヘッドと、
前記支持壁の下方かつ前記主走査方向において前記載置台の側方に位置し、前記副走査方向かつ上下方向に延びる区画壁と、を備え、
前記載置台が前記副走査方向の最も下流側に位置するとき、前記載置台の前記副走査方向の上流側の端部は、前記支持壁より前記副走査方向の下流側かつ前記区画壁の前記副走査方向の下流側の端部よりも前記副走査方向の上流側に位置する、インクジェットプリンタ。
【請求項２】
前記区画壁の上端は、前記載置台の上端よりも上方に位置する、請求項１に記載のインクジェットプリンタ。
【請求項３】
前記載置台が前記副走査方向の最も下流側に位置するとき、前記区画壁の前記副走査方向の下流側の端部は、前記載置台の前記副走査方向の中間位置よりも前記副走査方向の上流側に位置する、請求項１または２に記載のインクジェットプリンタ。
【請求項４】
前記区画壁は、前記ベース部材に接続されかつ前記支持壁を支持する、請求項１から３のいずれか一項に記載のインクジェットプリンタ。
【請求項５】
前記区画壁の前記副走査方向の上流側の端部は、前記支持壁よりも前記副走査方向の上流側に位置する、請求項４に記載のインクジェットプリンタ。
【請求項６】
前記インクヘッドは、前記インクとして光硬化性インクを吐出し、
前記記録媒体に吐出された前記光硬化性インクに向けて光を照射する光源を有する光照射装置を備え、
前記区画壁は、前記主走査方向と交差する第１の壁面と第２の壁面とを備え、
前記区画壁は、前記主走査方向に関して前記第１の壁面側に前記光源が配置された場合には、前記光源から照射された光が前記第１の壁面に遮られ前記第２の壁面側に到達しないように構成されている、請求項４または５に記載のインクジェットプリンタ。
【請求項７】
前記インクヘッドは、前記インクとして光硬化性インクを吐出し、
前記記録媒体に吐出された前記光硬化性インクに向けて光を照射する光源と、前記光源を収容し光が通過する開口が形成されたケースと、を有する光照射装置を備え、
前記区画壁の前記副走査方向の下流側の端部は、前記開口よりも前記副走査方向の下流側に位置する、請求項１から５のいずれか一項に記載のインクジェットプリンタ。
【請求項８】
前記インクを貯留しかつ前記インクヘッドに接続されるインクカートリッジが収容されるインクカートリッジ収容部を備え、
前記区画壁は、前記主走査方向に関して、前記インクカートリッジ収容部と前記載置台との間に位置する、請求項１から７のいずれか一項に記載のインクジェットプリンタ。
【発明の詳細な説明】
【技術分野】
【０００１】
本発明は、インクジェットプリンタに関する。
【背景技術】
【０００２】
例えば、特許文献１には、主走査方向に延びる内壁と、内壁に設けられたガイドレールと、ガイドレールに摺動自在に設けられたキャリッジと、キャリッジに搭載されたインクヘッドと、記録媒体が載置される載置台と、載置台を主走査方向と平面視において直交する副走査方向に移動させる移動装置とを備えたプリンタが開示されている。特許文献１のプリンタでは、インクヘッドは、主走査方向に移動しながら載置台に載置された記録媒体にインクを吐出する。その後、載置台に載置された記録媒体が移動装置によって副走査方向に移動する。これを繰り返し行うことによって、記録媒体に所定の画像が印刷される。
【先行技術文献】
【特許文献】
【０００３】
【特許文献１】特開２０１７−１２１７１２号公報
【発明の概要】
【発明が解決しようとする課題】
【０００４】
ところで、載置台が副走査方向に移動するプリンタでは、主走査方向に延びかつガイドレールが設けられた内壁の下方には、載置台が移動する移動空間が存在する。そして、載置台が副走査方向の最も下流側に位置するとき、載置台とガイドレールが設けられた内壁との間には隙間が存在することがある。即ち、移動空間の外部から隙間を介して移動空間内にアクセスすることができる。このため、作業者が移動空間内に誤って工具等の物品を置くことが発生し得る。移動空間内に物品が置かれた状態で載置台を副走査方向に移動させようとすると、物品が載置台の移動を阻害してしまう虞がある。
【０００５】
本発明はかかる点に鑑みてなされたものであり、その目的は、副走査方向に移動する載置台を備えたプリンタにおいて、載置台の移動空間内に比較的大きな物品が侵入することを抑制することができるインクジェットプリンタを提供することである。
【課題を解決するための手段】
【０００６】
本発明に係るインクジェットプリンタは、ベース部材と、前記ベース部材より上方に配置され、主走査方向に延びる支持壁と、前記支持壁より下方に位置し、前記主走査方向と直交する方向である副走査方向に移動可能に構成され、記録媒体が載置される載置台と、前記副走査方向の上流側から下流側に向かう方向である行き方向および前記副走査方向の下流側から上流側に向かう方向である帰り方向に前記載置台を移動させる移動装置と、前記支持壁に設けられ、前記主走査方向に延びるガイドレールと、前記ガイドレールに摺動自在に設けられ、前記主走査方向に移動可能なキャリッジと、前記載置台に載置された記録媒体にインクを吐出可能に構成され、前記キャリッジに搭載されたインクヘッドと、前記支持壁の下方かつ前記主走査方向において前記載置台の側方に位置し、前記副走査方向かつ上下方向に延びる区画壁と、を備えている。前記載置台が前記副走査方向の最も下流側に位置するとき、前記載置台の前記副走査方向の上流側の端部は、前記支持壁より前記副走査方向の下流側かつ前記区画壁の前記副走査方向の下流側の端部よりも前記副走査方向の上流側に位置する。
【０００７】
本発明に係るインクジェットプリンタによると、区画壁は、支持壁の下方かつ主走査方向において載置台の側方に位置し、副走査方向かつ上下方向に延びる。ここで、載置台が副走査方向の最も下流側に位置するとき、載置台の副走査方向の上流側の端部は、支持壁より副走査方向の下流側に位置する。即ち、載置台と支持壁との間には隙間が存在する。しかしながら、載置台が副走査方向の最も下流側に位置するとき、載置台の副走査方向の上流側の端部は、区画壁の副走査方向の下流側の端部よりも副走査方向の上流側に位置する。即ち、載置台の側方に配置された区画壁によって上記隙間が塞がれているため、工具等の比較的大きな物品が載置台の側方から隙間を介して載置台の移動空間内に侵入することが抑制される。
【発明の効果】
【０００８】
本発明によれば、載置台の移動空間内に比較的大きな物品が侵入することを抑制することができるインクジェットプリンタを提供することができる。
【図面の簡単な説明】
【０００９】
【図１】一実施形態に係るプリンタの斜視図である。
【図２】一実施形態に係る本体ケースを取り外した状態のプリンタの斜視図である。
【図３】一実施形態に係る本体ケースを取り外した状態のプリンタの正面図である。
【図４】一実施形態に係る本体ケースを取り外した状態のプリンタの平面図であり、テーブルが副走査方向の最も下流側に位置する状態を示す。
【図５】一実施形態に係る本体ケースを取り外した状態のプリンタの平面図であり、テーブルが副走査方向の最も上流側に位置する状態を示す。
【図６】一実施形態に係るヘッドキャリッジの記録媒体と対向する側の面の構成を示す模式図である。
【図７】他の一実施形態に係る本体ケースを取り外した状態のプリンタの正面図である。
【図８】他の一実施形態に係る本体ケースを取り外した状態のプリンタの正面図である。
【００１０】
以下、図面を参照しながら、本発明の実施形態に係るインクジェットプリンタ（以下、「プリンタ」という。）について説明する。なお、ここで説明される実施形態は、当然ながら本発明を特に限定することを意図したものではない。また、同じ作用を奏する部材・部位には同じ符号を付し、重複する説明は適宜省略または簡略化する。
【００１１】
図１は、本実施形態に係るプリンタ１０の斜視図である。以下の説明では、プリンタ１０を正面から見たときに、プリンタ１０から遠ざかる方を前方、プリンタ１０に近づく方を後方とする。左、右、上、下とは、プリンタ１０を正面から見たときの左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。また、図面中の符号Ｙは主走査方向を示している。ここでは、主走査方向Ｙは左右方向である。符号Ｘは副走査方向を示している。ここでは、副走査方向Ｘは前後方向であり、平面視において主走査方向Ｙと直交している。符号Ｚは、上下方向を示している。また、プリンタ１０の後側を上流側と称し、プリンタ１０の前側を下流側と称する。また、本実施形態では、副走査方向Ｘの上流側から下流側へ向かう方向を行き方向Ｘ１とし、副走査方向Ｘの下流側から上流側へ向かう方向を帰り方向Ｘ２とする。ただし、上記方向は説明の便宜上定めた方向に過ぎず、プリンタ１０の設置態様を何ら限定するものではなく、本発明を何ら限定するものでもない。
【００１２】
プリンタ１０は、インクジェット式のプリンタである。プリンタ１０は、家庭用のプリンタと比較すると主走査方向Ｙに長い、いわゆる大型のプリンタである。例えば、プリンタ１０は、業務用のプリンタである。本実施形態では、プリンタ１０は、記録媒体５上に画像を印刷する。
【００１３】
記録媒体５は、例えば、記録紙である。ただし、記録媒体５は、記録紙に限定されない。例えば、記録媒体５には、ポリ塩化ビニル（ＰＶＣ）、ポリエステルなどの樹脂材料から形成されたシート、アルミや鉄等から形成された金属板、ガラス板、木材板等の比較的厚みを有するものが含まれる。
【００１４】
図２に示すように、プリンタ１０は、ベース部材６０と、ベース部材６０に取り付けられた本体ケース１２（図１参照）と、キャリッジ移動機構２０と、テーブル移動機構３８と、インクヘッドユニット３０と、メンテナンス装置７０とを備えている。プリンタ１０は、キャリッジ移動機構２０およびインクヘッドユニット３０を支持する本体フレーム１４を備えている。テーブル移動機構３８は、後述するテーブルユニット４０を副走査方向Ｘに移動可能に支持する第１スライドレール５１（図４参照）および第２スライドレール５２（図４参照）と、記録媒体５が載置されるテーブル４８を有するテーブルユニット４０と、テーブルユニット４０を副走査方向Ｘに移動させる移動装置４１（図４参照）と、を備えている。テーブル４８は、載置台の一例である。
【００１５】
インクヘッドユニット３０は、本体ケース１２の内方に配置されている。図２に示すように、インクヘッドユニット３０は、テーブルユニット４０より上方に配置されている。インクヘッドユニット３０は、インクヘッド３４と、インクヘッド３４が搭載されるヘッドキャリッジ３２と、ヘッドキャリッジ３２に取り付けられたケース３１と、光照射装置８０とを備えている。ヘッドキャリッジ３２は、キャリッジの一例である。
【００１６】
図１に示すように、本体ケース１２の前部の中央には、フロントカバー１３Ｃが設けられている。本体ケース１２の前部の左方には、左カバー１３Ｌが設けられている。本体ケース１２の前部の右方には、右カバー１３Ｒが設けられている。フロントカバー１３Ｃ、左カバー１３Ｌおよび右カバー１３Ｒは、本体ケース１２に対して開閉可能に構成されている。フロントカバー１３Ｃには、窓１３Ｗが設けられている。窓１３Ｗは、例えば、透明のアクリル板によって形成されている。作業者は、窓１３Ｗから本体ケース１２の内部を視認することができる。ベース部材６０（図２参照）は、本体ケース１２の下部に取り付けられている。ベース部材６０は、本体ケース１２を支持する。
【００１７】
図２に示すように、ベース部材６０は、底面を構成する底壁６１と、底壁６１より左方かつ上方に位置する左壁６２と、底壁６１より右方かつ上方に位置する右壁６３と、底壁６１と左壁６２とを接続し上下方向Ｚに延びる左側壁６４と、底壁６１と右壁６３とを接続し上下方向Ｚに延びる右側壁６５と、を含む。テーブルユニット４０は、底壁６１上を副走査方向Ｘに移動する。左壁６２および右壁６３は、後述する本体フレーム１４を支持する。
【００１８】
図３に示すように、本体フレーム１４は、ベース部材６０に設けられている。本体フレーム１４は、ベース部材６０の左壁６２から上方に延びる左ベース壁１５Ｌと、ベース部材６０の右壁６３から上方に延びる右ベース壁１５Ｒと、左ベース壁１５Ｌの上端と右ベース壁１５Ｒの上端とを接続する支持壁１６とを有する。左ベース壁１５Ｌは、テーブルユニット４０よりも左方に位置する。右ベース壁１５Ｒは、テーブルユニット４０よりも右方に位置する。支持壁１６は、主走査方向Ｙに延びる。支持壁１６は、ベース部材６０より上方に配置されている。プリンタ１０には、テーブルユニット４０が通過可能に構成され、副走査方向Ｘに貫通する開口１４Ｈが形成されている。開口１４Ｈは、本体フレーム１４とベース部材６０とで囲まれて形成されている。
【００１９】
図２に示すように、プリンタ１０は、支持壁１６に設けられたガイドレール１８を備えている。ガイドレール１８は、主走査方向Ｙに延びている。ガイドレール１８は、支持壁１６の前面に沿って設けられている。ガイドレール１８は、開口１４Ｈより上方に配置されている。ガイドレール１８は、テーブルユニット４０より上方に配置されている。ガイドレール１８には、インクヘッドユニット３０のヘッドキャリッジ３２が摺動自在に設けられている。ガイドレール１８は、ヘッドキャリッジ３２の主走査方向Ｙへの移動をガイドするものである。
【００２０】
図２に示すように、キャリッジ移動機構２０は、テーブルユニット４０の後述するテーブル４８に載置された記録媒体５に対してヘッドキャリッジ３２を相対的に主走査方向Ｙに移動させる機構である。キャリッジ移動機構２０は、ヘッドキャリッジ３２を主走査方向Ｙに移動させる。なお、キャリッジ移動機構２０の構成は特に限定されない。キャリッジ移動機構２０は、左側のプーリ２１と、右側のプーリ２２と、無端状のベルト２３と、ヘッドキャリッジモータ２４とを備えている。左側のプーリ２１は、ガイドレール１８の左端より左方に設けられている。右側のプーリ２２は、ガイドレール１８の右端より右方に設けられている。左側のプーリ２１および右側のプーリ２２は、支持壁１６に固定されている。ベルト２３は、左側のプーリ２１と右側のプーリ２２とに巻き掛けられている。右側のプーリ２２には、ヘッドキャリッジモータ２４が接続されている。ただし、ヘッドキャリッジモータ２４は、左側のプーリ２１に接続されていてもよい。ここでは、ヘッドキャリッジモータ２４が駆動して、右側のプーリ２２が回転することで、左側のプーリ２１と右側のプーリ２２との間においてベルト２３が走行する。
【００２１】
ヘッドキャリッジ３２は、ベルト２３に取り付けられている。ヘッドキャリッジ３２は、ガイドレール１８に摺動自在に係合している。ヘッドキャリッジ３２は、テーブル４８より上方に配置されている。ヘッドキャリッジモータ２４の駆動によってベルト２３が走行して、ヘッドキャリッジ３２が主走査方向Ｙに移動することに伴い、ヘッドキャリッジ３２に搭載されたインクヘッド３４および光照射装置８０は主走査方向Ｙに移動する。
【００２２】
図６に示すように、インクヘッド３４は、副走査方向Ｘの長さが主走査方向Ｙの長さよりも長い形状に形成されている。インクヘッド３４は、それぞれ、同じ形状かつ同じ大きさに形成されている。インクヘッド３４は、副走査方向Ｘに並ぶ複数のノズル３５と、複数のノズル３５が形成されたノズル面３６とを備えている。インクヘッド３４には、複数のノズル３５から構成されたノズル列が２つ設けられている。ノズル３５は、テーブル４８に載置された記録媒体５にインクを吐出可能に構成されている。ノズル３５内は、負圧（大気圧より低い圧力）に設定されている。なお、ノズル３５は微小であるため、図６では複数のノズル３５を直線で表している。本実施形態では、インクヘッドユニット３０は、３つのインクヘッド３４を備えているが、４以上のインクヘッド３４を備えていてもよい。また、インクヘッド３４は、それぞれ２つのノズル列を備えているが、１つのノズル列または３つ以上のノズル列を備えていてもよい。
【００２３】
インクヘッド３４は、例えば、インクとして光硬化性インクを吐出する。光硬化性インクとしては、例えば、紫外線硬化インクが挙げられる。紫外線硬化インクは、紫外線が照射されると硬化する性質を有する。紫外線硬化インクとしては、例えば、画像形成用インク、プライマーおよびクリアインクが挙げられる。画像形成用インクは、記録媒体５に印刷画像を形成するために用いられる。画像形成用インクは、顔料等の着色剤と光重合性モノマーと光重合開始剤系とを含み、必要に応じてその他の各種添加剤、例えば、光増感剤、重合禁止剤、捕捉剤、酸化防止剤、紫外線吸収剤、可塑剤、界面活性剤、レベリング剤、増粘剤、分散剤、消泡剤、防腐剤、溶剤等を含み得る。画像形成用インクは、有色インクである。画像形成用インクは、例えば、プロセスカラーインクやホワイトインクである。プロセスカラーインクとしては、例えば、シアンインク、マゼンタインク、イエローインク、ブラックインク、ライトシアンインク、ライトマゼンタインク等が挙げられる。プライマーは、記録媒体５と画像形成用インクとの定着性を高めるために用いられる。プライマーは、顔料等の着色剤を含まず、光重合性モノマーと光重合開始剤系と結着剤（バインダー樹脂）を含み、必要に応じて画像形成用インクと同様の各種添加剤等を含み得る。プライマーの色としては、例えば、透明、白、グレー等が挙げられる。クリアインクは、画像形成用インクの表面に吐出され、画像形成用インクを覆うオーバーコート層の役割を果たす。クリアインクは、顔料等の着色剤を含まず、光重合性モノマーと光重合開始剤系とを含み、必要に応じて画像形成用インクと同様の各種添加剤等を含み得る。
【００２４】
光照射装置８０は、記録媒体５に吐出された光硬化性インク（例えば紫外線硬化インク）に光（例えば紫外線）を照射する装置である。図２に示すように、光照射装置８０は、インクヘッド３４より左方に配置されている。光照射装置８０は、ヘッドキャリッジ３２に固定されている。光照射装置８０は、ヘッドキャリッジ３２を介してガイドレール１８に沿って主走査方向Ｙに移動可能に構成されている。本実施形態では、光照射装置８０は、インクヘッド３４より左方に配置されているが、これに限定されない。光照射装置８０は、インクヘッド３４より右方に配置されていてもよい。
【００２５】
図６に示すように、光照射装置８０は、記録媒体５に吐出された光硬化性インクに向けて光を照射する光源８２と、光源８２を収容し光が通過する開口８３が形成されたケース８４とを有する。光照射装置８０は、副走査方向Ｘに並ぶ複数の光源８２を備えている。光照射装置８０には、複数の光源８２から構成された光源の列が２つ設けられている。なお、図６では複数の光源８２を直線で表している。光源８２としては、例えば、ＬＥＤが挙げられる。開口８３の前縁８３Ｆは、インクヘッド３４の最も前方に位置するノズル３５よりも前方に位置する。開口８３の後縁８３Ｂは、インクヘッド３４の最も後方に位置するノズル３５よりも後方に位置する。ケース８４の下面は、ノズル面３６よりも上方に位置する。
【００２６】
テーブル移動機構３８は、テーブルユニット４０のテーブル４８を副走査方向Ｘに移動させる機構である。図３に示すように、テーブルユニット４０は、テーブル４８と、テーブル４８を副走査方向Ｘに移動可能に支持するテーブルキャリッジ４７とを備えている。テーブルキャリッジ４７は、第１スライドレール５１（図４も参照）および第２スライドレール５２（図４も参照）に支持されている。
【００２７】
図２に示すように、テーブル４８には、記録媒体５が載置される。テーブル４８は、副走査方向Ｘの長さが主走査方向Ｙの長さよりも短い矩形状に形成されている。なお、テーブル４８は、副走査方向Ｘの長さが主走査方向Ｙの長さよりも長くてもよく、副走査方向Ｘの長さと主走査方向Ｙの長さが同一であってもよい。図３に示すように、テーブル４８は、支持壁１６より下方に配置されている。テーブル４８は、インクヘッドユニット３０より下方に配置されている。テーブル４８は、移動装置４１（図４参照）によって副走査方向Ｘに移動可能に構成されている。
【００２８】
図４に示すように、移動装置４１は、ベース部材６０上に配置されている。移動装置４１は、前側のプーリ４２と、後側のプーリ４３と、無端状のベルト４４と、駆動モータ４５とを備えている。前側のプーリ４２は、ベース部材６０の底壁６１の前側に設けられている。後側のプーリ４３は、底壁６１の後側に設けられている。ベルト４４は、前側のプーリ４２と後側のプーリ４３とに巻き掛けられている。後側のプーリ４３には、駆動モータ４５が接続されている。ただし、駆動モータ４５は、前側のプーリ４２に接続されていてもよい。ここでは、駆動モータ４５が駆動して、後側のプーリ４３が回転することで、前側のプーリ４２と後側のプーリ４３との間においてベルト４４が走行する。テーブルユニット４０のテーブルキャリッジ４７は、ベルト４４に取り付けられている。このため、駆動モータ４５の駆動によってベルト４４が走行すると、テーブルユニット４０は第１スライドレール５１および第２スライドレール５２に沿って、副走査方向Ｘに移動する。即ち、移動装置４１は、テーブル４８を副走査方向Ｘ（即ち行き方向Ｘ１および帰り方向Ｘ２）に移動させることができる。図４は、テーブル４８が副走査方向Ｘの最も下流側（ここでは最も前方）に位置する状態を示す。また、図５は、テーブル４８が副走査方向Ｘの最も上流側（ここでは最も後方）に位置する状態を示す。なお、図４および図５では、説明の便宜上キャリッジ移動機構２０の図示を省略している。
【００２９】
図５に示すように、プリンタ１０は、インクカートリッジ（図示せず）が収容されるインクカートリッジ収容部１９を備えている。インクカートリッジは、インクを貯留する。インクカートリッジは、インクヘッド３４（図６参照）に接続されている。インクカートリッジ収容部１９は、本体フレーム１４の後方に設けられている。インクカートリッジ収容部１９は、ベース部材６０の左壁６２上に設けられている。本実施形態では、３つのインクカートリッジ収容部１９が主走査方向Ｙに並んで設けられている。なお、インクカートリッジ収容部１９の数は、３つに限定されない。図３に示すように、インクカートリッジは、本体フレーム１４の左ベース壁１５Ｌに形成された開口１９Ｈを介してインクカートリッジ収容部１９に挿入されるように構成されている。
【００３０】
メンテナンス装置７０は、インクヘッド３４のノズル面３６をワイピングするワイピング装置と、インクヘッド３４のノズル３５から強制的にインクを吸引するクリーニング装置とを備えている。図２に示すように、メンテナンス装置７０は、ベース部材６０の右壁６３上に設けられている。メンテナンス装置７０は、本体フレーム１４よりも前方に設けられている。メンテナンス装置７０は、テーブルユニット４０よりも右方に配置されている。メンテナンス装置７０は、インクヘッドユニット３０より下方に配置されている。図４に示すように、メンテナンス装置７０の前端７０Ｆは、テーブル４８が副走査方向Ｘの最も下流側に位置するときのテーブル４８の副走査方向Ｘの上流側の端部４８Ｂよりも副走査方向Ｘの下流側（ここでは前方）に位置する。
【００３１】
図２に示すように、プリンタ１０は、テーブル４８の移動空間外（例えばベース部材６０の左壁６２上）からテーブル４８の移動空間内（例えばベース部材６０の底壁６１）へのアクセスを抑制するための区画壁９０を備えている。図３に示すように、区画壁９０は、板状の部材で構成され、主走査方向Ｙと交差する一対の壁面（左面９０Ｌおよび右面９０Ｒ）と、一対の壁面を連結する端面（前面９０Ｃ、上面９０Ｕ、下面９０Ｖおよび後面９０Ｗ）とを備え、支持壁１６の下方に配置されている。図４に示すように、区画壁９０は、主走査方向Ｙにおいてテーブル４８の側方（ここでは左方）に配置されている。区画壁９０は、左ベース壁１５Ｌ（図２参照）の右方に配置されている。区画壁９０は、主走査方向Ｙに関してインクカートリッジ収容部１９（図４参照）とテーブル４８との間に位置する。区画壁９０のうち一対の壁面（左面９０Ｌおよび右面９０Ｒ）は、副走査方向Ｘおよび上下方向Ｚに延びる。図３に示すように、区画壁９０の上面９０Ｕの上端９０Ｔは、テーブル４８の上端４８Ｔよりも上方に位置する。区画壁９０の上面９０Ｕの上端９０Ｔは、インクヘッド３４のノズル面３６より下方に位置する。区画壁９０上面９０Ｕは支持壁１６を支持する。即ち、区画壁９０の上面９０Ｕの上端９０Ｔは、支持壁１６と接触している。区画壁９０の下面９０Ｖの下端９０Ｂはベース部材６０に接続されている。ここでは、区画壁９０の下端９０Ｂはベース部材６０の左側壁６４に固定されている。区画壁９０の下面９０Ｖの下端９０Ｂは左壁６２よりも下方に位置する。
【００３２】
図４に示すように、テーブル４８が副走査方向Ｘの最も下流側（ここでは最も前方）に位置するとき、テーブル４８の副走査方向Ｘの上流側の端部４８Ｂは、支持壁１６（ここではガイドレール１８）より副走査方向Ｘの下流側かつ区画壁９０の副走査方向Ｘの下流側の端部９０Ｆよりも副走査方向Ｘの上流側（ここでは後方）に位置する。テーブル４８が副走査方向Ｘの最も下流側（ここでは最も前方）に位置するとき、区画壁９０の副走査方向Ｘの下流側の端部９０Ｆは、テーブル４８の副走査方向Ｘの中間位置Ｔ１よりも副走査方向Ｘの上流側（ここでは後方）に位置する。テーブル４８が副走査方向Ｘの最も下流側（ここでは最も前方）に位置するとき、区画壁９０の副走査方向Ｘの下流側の端部９０Ｆは、テーブルユニット４０のテーブルキャリッジ４７の副走査方向Ｘの下流側の端部４７Ｂよりも副走査方向Ｘの下流側（ここでは前方）に位置する。ここで、テーブルキャリッジ４７は、テーブル４８よりも副走査方向Ｘの長さおよび主走査方向Ｙの長さが小さく形成されている。このため、テーブル４８より下方ではテーブル４８の移動空間外（例えばベース部材６０の左壁６２上）からテーブル４８の移動空間内（例えばベース部材６０の底壁６１）へのアクセスし得る空間がより大きくなる。しかしながら、テーブルキャリッジ４７の側方には区画壁９０が配置されているため、テーブル４８の移動空間内へのアクセスが抑制される。区画壁９０の副走査方向Ｘの下流側の端部９０Ｆは、光照射装置８０の開口８３より下流側（ここでは前方）に位置する。区画壁９０の副走査方向Ｘの上流側の端部９０Ｈは、支持壁１６よりも副走査方向Ｘの上流側（ここでは後方）に位置する。区画壁９０の副走査方向Ｘの上流側の端部９０Ｈ（即ち後面９０Ｗ）は、第１スライドレール５１および第２スライドレール５２よりも副走査方向Ｘの上流側（ここでは後方）に位置する。
【００３３】
図３に示すように、区画壁９０のうち主走査方向Ｙと交差する壁面（即ち第１の壁面おしての左面９０Ｌおよび第２の壁面としての右面９０Ｒ）は、光照射装置８０の光源８２から照射された光を反射可能に構成されている。区画壁９０は、例えば、ステンレス鋼等の金属材料から形成されている。なお、区画壁９０の左面９０Ｌおよび右面９０Ｒは、光源８２から照射された光を吸収可能に構成されていてもよい。この場合、区画壁９０の左面９０Ｌおよび右面９０Ｒに従来公知の光を吸収する材料を付与するとよい。また、壁面を黒色に着色したり、黒色の樹脂材料によって区画壁９０を形成したりしてもよい。即ち、光源８２から照射された光が一方の壁面（例えば左面９０Ｌ）に遮られて他方の壁面（例えば右面９０Ｒ）側に到達しないように構成されている。
【００３４】
以上のように、本実施形態のプリンタ１０によると、区画壁９０は、支持壁１６の下方かつ主走査方向Ｙにおいてテーブル４８の側方（ここでは左方）に位置し、副走査方向Ｘかつ上下方向Ｚに延びる。ここで、テーブル４８が副走査方向Ｘの最も下流側に位置するとき、テーブル４８の副走査方向Ｘの上流側の端部４８Ｂは、支持壁１６より副走査方向Ｘの下流側に位置する。即ち、テーブル４８と支持壁１６との間には隙間Ｇ（図４参照）が存在する。しかしながら、テーブル４８が副走査方向Ｘの最も下流側に位置するとき、テーブル４８の副走査方向Ｘの上流側の端部４８Ｂは、区画壁９０の副走査方向Ｘの下流側の端部９０Ｆよりも副走査方向Ｘの上流側に位置する。即ち、テーブル４８の側方に配置された区画壁９０によって上記隙間Ｇが塞がれているため、工具等の比較的大きな物品がテーブル４８の側方から隙間Ｇを介してテーブル４８の移動空間内（例えばベース部材６０の底壁６１上）に侵入することが抑制される。
【００３５】
本実施形態のプリンタ１０では、区画壁９０の上端９０Ｔは、テーブル４８の上端４８Ｔよりも上方に位置する。これにより、テーブル４８の側方（ここでは左方）に配置された区画壁９０によって、テーブル４８と支持壁１６との間に生じる隙間Ｇをより確実に塞ぐことができる。よって、移動空間外から移動空間内へのアクセスをより確実に抑制することができる。
【００３６】
本実施形態のプリンタ１０では、テーブル４８が副走査方向Ｘの最も下流側に位置するとき、区画壁９０の副走査方向Ｘの下流側の端部９０Ｆは、テーブル４８の副走査方向Ｘの中間位置Ｔ１よりも副走査方向Ｘの上流側に位置する。例えば、テーブル４８の上に記録媒体５を固定する治具が取り付け可能であるとき、区画壁９０の副走査方向Ｘの長さが長すぎる場合には、治具を取り付ける際に区画壁９０が邪魔になり得る。しかしながら、区画壁９０の副走査方向Ｘの下流側の端部９０Ｆは、テーブル４８の副走査方向Ｘの中間位置Ｔ１よりも副走査方向Ｘの上流側に位置するため、治具を取り付ける際に区画壁９０の影響が少なくなる。即ち、テーブル４８に治具を容易に取り付けることができる。
【００３７】
本実施形態のプリンタ１０では、区画壁９０は、ベース部材６０に接続されかつ支持壁１６を支持する。これにより、テーブル４８の側方（ここでは左方）に配置された区画壁９０によって、テーブル４８と支持壁１６との間に生じる隙間Ｇを上下方向Ｚに亘ってより確実に塞ぐことができる。
【００３８】
本実施形態のプリンタ１０では、区画壁９０の副走査方向Ｘの上流側の端部９０Ｈは、支持壁１６よりも副走査方向Ｘの上流側に位置する。これにより、区画壁９０によって支持壁１６をより安定して支持することができる。
【００３９】
本実施形態のプリンタ１０は、記録媒体５に吐出された光硬化性インクに向けて光を照射する光源８２を有する光照射装置８０を備えている。区画壁９０は、主走査方向Ｙと交差する左面９０Ｌおよび右面９０Ｒを備えている。区画壁９０は、主走査方向Ｙに関して左面９０Ｌ側に光源８２が配置された場合には、光源８２から照射された光が左面９０Ｌに遮られ右面９０Ｒ側に到達しないように構成されている。これにより、主走査方向Ｙにおいてテーブル４８の側方に位置する部材（例えばベース部材６０の左壁６２）において反射した光がインクヘッド３４に到達することが抑制される。
【００４０】
本実施形態のプリンタ１０は、記録媒体５に吐出された光硬化性インクに向けて光を照射する光源８２と、光源８２を収容し光が通過する開口８３が形成されたケース８４と、を有する光照射装置８０を備えている。区画壁９０の副走査方向Ｘの下流側の端部９０Ｆは、開口８３よりも副走査方向Ｘの下流側に位置する。これにより、主走査方向Ｙにおいてテーブル４８の側方に位置する部材（例えばベース部材６０の左壁６２）において反射した光がインクヘッド３４に到達することが抑制される。
【００４１】
本実施形態のプリンタ１０は、インクを貯留しかつインクヘッド３４に接続されるインクカートリッジが収容されるインクカートリッジ収容部１９を備えている。区画壁９０は、主走査方向Ｙに関して、インクカートリッジ収容部１９とテーブル４８との間に位置する。インクカートリッジを交換するときやインクカートリッジ収容部１９のメンテナンスを行うときには、所定の工具を使用し得る。ここで、テーブル４８の側方（ここでは左方）に配置された区画壁９０によってテーブル４８と支持壁１６との間に生じ得る隙間Ｇが塞がれているため、上記工具等がテーブル４８の側方から隙間Ｇを介してテーブル４８の移動空間内（例えばベース部材６０の底壁６１上）に侵入することが抑制される。
【００４２】
以上、本発明の好適な実施形態について説明した。しかし、上述の各実施形態は例示に過ぎず、本発明は他の種々の形態で実施することができる。
【００４３】
上述した実施形態では、区画壁９０の上端９０Ｔは支持壁１６と接触し、支持壁１６を支持していたが、区画壁９０の上端９０Ｔは支持壁１６と接触していなくてもよい。
【００４４】
上述した実施形態では区画壁９０の下端９０Ｂはベース部材６０に固定されていたが、区画壁９０の下端９０Ｂはベース部材６０に固定されていなくてもよい。
【００４５】
上述した実施形態では、インクヘッドユニット３０は、インクヘッド３４より左方に配置された光照射装置８０のみを備えていたが、これに限定されない。例えば、図７に示すように、インクヘッドユニット３０は、インクヘッド３４より左方に配置された左側光照射装置８０Ｌと、インクヘッド３４より右方に配置された右側光照射装置８０Ｒとを備えていてもよい。なお、左側光照射装置８０Ｌおよび右側光照射装置８０Ｒは、光照射装置８０と同様の構成である。ここで、図７に示すように、左側光照射装置８０Ｌが区画壁９０より左方に位置しかつインクヘッド３４が区画壁９０より右方に位置する状態で光を照射すると、図７の矢印Ｌ１に示すように、照射された光はベース部材６０の左壁６２で反射され得るが、区画壁９０が存在するため照射された光（反射された光も含む）がインクヘッド３４に到達することが抑制される。また、図８に示すように、右側光照射装置８０Ｒが区画壁９０より右方に位置しかつインクヘッド３４が区画壁９０より左方に位置する状態で光を照射すると、図８の矢印Ｌ２に示すように、照射された光はテーブル４８で反射され得るが、区画壁９０が存在するため照射された光（反射された光も含む）がインクヘッド３４に到達することが抑制される。なお、図７および図８では、開口１９Ｈの図示を省略している。
【符号の説明】
【００４６】
１０  プリンタ（インクジェットプリンタ）
１６  支持壁
１８  ガイドレール
１９  インクカートリッジ収容部
２０  キャリッジ移動機構
３２  ヘッドキャリッジ（キャリッジ）
３４  インクヘッド
４１  移動装置
４８  テーブル
４８Ｂ  上流側の端部
６０  ベース部材
９０  区画壁
９０Ｆ  下流側の端部
【図１】
2020199719.tif 000003
【図２】
2020199719.tif 000004
【図３】
2020199719.tif 000005
【図４】
2020199719.tif 000006
【図５】
2020199719.tif 000007
【図６】
2020199719.tif 000008
【図７】
2020199719.tif 000009
【図８】
2020199719.tif 000010
【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
ベース部材と、
前記ベース部材より上方に配置され、主走査方向に延びる支持壁と、
前記支持壁より下方に位置し、前記主走査方向と直交する方向である副走査方向に移動可能に構成され、記録媒体が載置される載置台と、
前記副走査方向の上流側から下流側に向かう方向である行き方向および前記副走査方向の下流側から上流側に向かう方向である帰り方向に前記載置台を移動させる移動装置と、
前記支持壁に設けられ、前記主走査方向に延びるガイドレールと、
前記ガイドレールに摺動自在に設けられ、前記主走査方向に移動可能なキャリッジと、
前記載置台に載置された記録媒体にインクとして光硬化性インクを吐出可能に構成され、前記キャリッジに搭載されたインクヘッドと、
前記支持壁の下方かつ前記主走査方向において前記載置台の側方に位置し、前記副走査方向かつ上下方向に延びる区画壁と、
前記記録媒体に吐出された前記光硬化性インクに向けて光を照射する光源を有する光照射装置と、を備え、
前記区画壁は、前記主走査方向と交差する第１の壁面と第２の壁面とを備え、
前記区画壁は、前記主走査方向に関して前記第１の壁面側に前記光源が配置された場合には、前記光源から照射された光が前記第１の壁面に遮られ前記第２の壁面側に到達しないように構成され、
前記載置台が前記副走査方向の最も下流側に位置するとき、前記載置台の前記副走査方向の上流側の端部は、前記支持壁より前記副走査方向の下流側かつ前記区画壁の前記副走査方向の下流側の端部よりも前記副走査方向の上流側に位置する、インクジェットプリンタ。
【請求項２】
ベース部材と、
前記ベース部材より上方に配置され、主走査方向に延びる支持壁と、
前記支持壁より下方に位置し、前記主走査方向と直交する方向である副走査方向に移動可能に構成され、記録媒体が載置される載置台と、
前記副走査方向の上流側から下流側に向かう方向である行き方向および前記副走査方向の下流側から上流側に向かう方向である帰り方向に前記載置台を移動させる移動装置と、
前記支持壁に設けられ、前記主走査方向に延びるガイドレールと、
前記ガイドレールに摺動自在に設けられ、前記主走査方向に移動可能なキャリッジと、
前記載置台に載置された記録媒体にインクを吐出可能に構成され、前記キャリッジに搭載されたインクヘッドと、
前記支持壁の下方かつ前記主走査方向において前記載置台の側方に位置し、前記副走査方向かつ上下方向に延びる区画壁と、を備え、
前記区画壁は、前記ベース部材に接続されかつ前記支持壁を支持し、
前記載置台が前記副走査方向の最も下流側に位置するとき、前記載置台の前記副走査方向の上流側の端部は、前記支持壁より前記副走査方向の下流側かつ前記区画壁の前記副走査方向の下流側の端部よりも前記副走査方向の上流側に位置する、インクジェットプリンタ。
【請求項３】
前記区画壁の前記副走査方向の上流側の端部は、前記支持壁よりも前記副走査方向の上流側に位置する、請求項２に記載のインクジェットプリンタ。
【請求項４】
前記インクヘッドは、前記インクとして光硬化性インクを吐出し、
前記記録媒体に吐出された前記光硬化性インクに向けて光を照射する光源を有する光照射装置を備え、
前記区画壁は、前記主走査方向と交差する第１の壁面と第２の壁面とを備え、
前記区画壁は、前記主走査方向に関して前記第１の壁面側に前記光源が配置された場合には、前記光源から照射された光が前記第１の壁面に遮られ前記第２の壁面側に到達しないように構成されている、請求項２または３に記載のインクジェットプリンタ。
【請求項５】
前記インクヘッドは、前記インクとして光硬化性インクを吐出し、
前記記録媒体に吐出された前記光硬化性インクに向けて光を照射する光源と、前記光源を収容し光が通過する開口が形成されたケースと、を有する光照射装置を備え、
前記区画壁の前記副走査方向の下流側の端部は、前記開口よりも前記副走査方向の下流側に位置する、請求項２または３に記載のインクジェットプリンタ。
【請求項６】
前記区画壁の上端は、前記載置台の上端よりも上方に位置する、請求項１から５のいずれか一項に記載のインクジェットプリンタ。
【請求項７】
前記載置台が前記副走査方向の最も下流側に位置するとき、前記区画壁の前記副走査方向の下流側の端部は、前記載置台の前記副走査方向の中間位置よりも前記副走査方向の上流側に位置する、請求項１から６のいずれか一項に記載のインクジェットプリンタ。
【請求項８】
前記インクを貯留しかつ前記インクヘッドに接続されるインクカートリッジが収容されるインクカートリッジ収容部を備え、
前記区画壁は、前記主走査方向に関して、前記インクカートリッジ収容部と前記載置台との間に位置する、請求項１から７のいずれか一項に記載のインクジェットプリンタ。